(57)【要約】【課題】取付対象のパネルの厚さが広範に変化しても確実にパネルに固定することができるマグネットキャッチを提供する。【解決手段】前端に鍔部を有するハウジングと、鍔部の後方側においてハウジングの両側面部に設けた一対の係止アームと、ハウジング前面から露出するようにハウジング内に収納したマグネット部材とを備える。取付対象のプレートの取付孔にハウジングを強制的に挿入して鍔部をプレートに当接させたときに、各係止アームの係止爪の係止斜面が前記取付孔の孔縁に係合する。前記一対の係止アームは２個一組にして前記ハウジングの前記各側面部に並列に設けられる。一方の係止アームの係止斜面の先端縁と前記鍔部裏面との間の距離を狭く設定し、他方の係止アームの係止斜面の先端縁と前記鍔部裏面との間の距離を広く設定する。【選択図】図１
2007198049.tif 000002
【特許請求の範囲】
【請求項１】
前端に鍔部を有するハウジングと、前記鍔部の後方側において前記ハウジングの長さ方向の両側面部に同方向に出退自在となるように設けられた一対の係止アームと、前記係止アームの先端部に設けられた係止爪と、前記ハウジングの前面から露出するように前記ハウジング内に収納されたマグネット部材とを備えており、取付対象であるプレートに形成した取付孔に前記ハウジングを強制的に挿入して前記鍔部の裏面を前記プレートの表面に当接させたときに、各係止アームの前記係止爪の係止斜面が前記取付孔のプレート裏面側孔縁に係合することにより、前記鍔部よりも後方の大部分が前記プレートの裏面側に隠れた状態で前記ハウジングが前記プレートに固定されるマグネットキャッチにおいて、
前記一対の係止アームが２個一組にして前記ハウジングの前記各側面部に並列に設けられており、前記係止アームの各組において、一方の係止アームの係止斜面の先端縁と前記鍔部裏面との間の距離を狭く設定し、他方の係止アームの係止斜面の先端縁と前記鍔部裏面との間の距離を広く設定してあることを特徴とするマグネットキャッチ。
【発明の詳細な説明】
【技術分野】
【０００１】
本発明は、電気機器収納用キャビネット等の扉パネルまたはキャビネット本体側の支持パネルに装着され、扉を磁力によって閉鎖状態に保持するマグネットキャッチに関するものである。
【背景技術】
【０００２】
扉パネルやキャビネット本体の支持パネルへの着脱をワンタッチで行えるようにしたマグネットキャッチは、既に知られている（特許文献１参照）。
この方式のマグネットキャッチは、図６と図９に示したように、前端に鍔部２を有するハウジング１と、前記鍔部２の後方側において前記ハウジング１の長さ方向の両側面部３，４に同方向に出退自在となるように設けられた一対の係止アーム５，６と、前記係止アーム５，６の先端部に設けられた係止爪７，８と、前記ハウジング１の前面から露出するように前記ハウジング１内に収納されたマグネット部材９とを備えている。
【０００３】
取付対象であるプレート１０に形成した取付孔１１に前記ハウジング１を強制的に挿入して前記鍔部２の裏面を前記プレート１０の表面に当接させたときに、各係止アーム５，６の前記係止爪７，８の係止斜面７ａ，８ａが前記取付孔１１のプレート裏面側孔縁１１ａに係合することにより、前記鍔部２よりも後方の大部分が前記プレート１０の裏面側に隠れた状態で前記ハウジング１が前記プレート１０に固定される。前記係止爪７，８と前記取付孔１１の孔縁１１ａとの係合は、前記係止アーム５，６の外向きに働く弾性反発力によって保持される。
【０００４】
このマグネットキャッチを適用できるパネル１０の厚さｔの範囲は、パネル１０の厚さが増すに伴って取付孔１１の長さを増すことによって広く設定している（ｔ＝０．８から２．０ｍｍ）。
図５と図６は厚さｔ＝０．８ｍｍのパネル１０に長さＬ１＝５４．８ｍｍの取付孔１１を形成して、ハウジング１の長さＬ＝５４．５ｍｍのマグネットキャッチを装着した場合である。この場合には、取付孔１１の孔縁１１ａは係止斜面７ａ，８ａの先端寄りの部位にて係止爪７，８と係合しており、係止爪７，８の掛かり代Ｅ１＝２．８ｍｍが確保されている。
【０００５】
図７と図８は厚さｔ＝２．０ｍｍのパネル１０に長さＬ２＝５８．５ｍｍの取付孔１１を形成して、ハウジング１の長さＬ＝５４．５ｍｍのマグネットキャッチを装着した場合である。この場合には、取付孔１１の孔縁１１ａは係止斜面７ａ，８ａの基端寄りの部位にて係止爪７，８と係合しており、係止爪７，８の掛かり代Ｅ２＝０．７ｍｍとなっている。
【０００６】
このようにパネル１０の厚さｔ＝１．６ｍｍや２．０ｍｍなどでの使用においては、係止爪７，８の掛かり代が不足して、ハウジング１のパネル１０への固定が不安定であり、受座（図示していない）が取り付けられている扉パネルを開けた際、係止爪７，８と取付孔１１の孔縁との係合による固定力が、前記受座とマグネット部材９の間で働く吸着力に負けてしまい、マグネットキャッチがキャビネット本体側の支持パネル１０から外れてしまうことがある。
【０００７】
【特許文献１】実公平３−１５７３５号公報
【発明の開示】
【発明が解決しようとする課題】
【０００８】
本発明の課題は、取付対象のパネルの厚さが広範に変化しても確実にパネルに固定することができるマグネットキャッチを提供することである。
【課題を解決するための手段】
【０００９】
本発明の主たる特徴は、前端に鍔部を有するハウジングと、前記鍔部の後方側において前記ハウジングの長さ方向の両側面部に同方向に出退自在となるように設けられた一対の係止アームと、前記係止アームの先端部に設けられた係止爪と、前記ハウジングの前面から露出するように前記ハウジング内に収納されたマグネット部材とを備えており、取付対象であるプレートに形成した取付孔に前記ハウジングを強制的に挿入して前記鍔部の裏面を前記プレートの表面に当接させたときに、各係止アームの前記係止爪の係止斜面が前記取付孔のプレート裏面側孔縁に係合することにより、前記鍔部よりも後方の大部分が前記プレートの裏面側に隠れた状態で前記ハウジングが前記プレートに固定されるマグネットキャッチにおいて、
前記一対の係止アームが２個一組にして前記ハウジングの前記各側面部に並列に設けられており、一方の係止アームの係止斜面の先端縁と前記鍔部裏面との間の距離を狭く設定し、他方の係止アームの係止斜面の先端縁と前記鍔部裏面との間の距離を広く設定してあることである。
【発明の効果】
【００１０】
本発明のマグネットキャッチでは、前記一対の係止アームが２個一組にして前記ハウジングの前記各側面部に並列に設けられており、前記係止アームの各組において、一方の係止アームの係止斜面の先端縁と前記鍔部裏面との間の距離を狭く設定し、他方の係止アームの係止斜面の先端縁と前記鍔部裏面との間の距離を広く設定してあり、パネル厚さが薄い方の適用対象の場合には、係止斜面の先端縁と前記鍔部裏面との間の距離を狭く設定してある一方の係止アームが、ハウジングをパネルに固定する係止アームとして有効に使用され、また、パネル厚さが厚い方の適用対象の場合には、係止斜面の先端縁と前記鍔部裏面との間の距離を広く設定してある他方の係止アームが、ハウジングをパネルに固定する係止アームとして有効に使用される。
【００１１】
このように適用対象のパネル厚さに対応して２個一組の係止アームのどちらか一方が固定手段として働き、どのパネル厚さに対しても係止爪の掛かり代を必要十分に確保することができるため、マグネットキャッチの固定が常に確実に行なえる。また、これまでパネル厚さにより増減変更させていた取付孔の長さ寸法を統一することができるため、穿孔作業が簡単になる。
【実施例】
【００１２】
図示の実施例では、２個一組に並列形成された係止アーム５Ａ，５Ｂは、合成樹脂製のハウジング１の長さ方向の一方の側面部３に一体に成形されており、側面部３と係止アーム５Ａ，５Ｂとの間、及び係止アーム５Ａ，５Ｂ同士の間には境界隙間が設けられ、ハウジング１をパネル１０の取付孔１１に強制的に挿入するとき、係止爪７Ａ，７Ｂの側面が取付孔１１の孔縁１１ａに摺接することによって、係止アーム５Ａ，５Ｂが固有の弾性反発力によってハウジング１内に出退するようになっている。
【００１３】
ハウジング１の長さ方向の他方の側面部４に一体成形された２個一組の係止アーム６Ａ，６Ｂ同士の間，及び側面部４と係止アーム６Ａ，６Ｂとの間には境界隙間が設けられており、ハウジング１をパネル１０の取付孔１１に強制的に挿入するとき、係止爪８Ａ，８Ｂの側面が取付孔１１の孔縁１１ａに摺接することによって、係止アーム６Ａ，６Ｂが固有の弾性反発力によってハウジング１内に出退するようになっている。
【００１４】
係止アーム５Ａ，５Ｂの組においては、係止爪７Ｂの係止斜面７ａの先端縁と鍔部２裏面との間の距離が狭く設定され、係止爪７Ａの係止斜面７ａの先端縁と鍔部２裏面との間の距離が広く設定されている。
係止アーム６Ａ，６Ｂの組においては、係止爪８Ａの係止斜面７ａの先端縁と鍔部２裏面との間の距離が狭く設定され、係止爪８Ｂの係止斜面７ａの先端縁と鍔部２裏面との間の距離が広く設定されている。
【００１５】
係止爪７Ａ，７Ｂ同士の無負荷時における側面部３からの突出量は相等しい。係止爪８Ａ，８Ｂ同士の無負荷時における側面部４からの突出量は相等しい。また、係止爪７Ａ，７Ｂの突出量と係止爪８Ａ，８Ｂの突出量は互いに等しく設定されており、パネル１０に対するハウジング１の固定力に、その長さ方向において偏りや差異が生じないようになっている。
【００１６】
実施例の図１と図２は、パネル厚さｔ＝０．８ｍｍ、１．０ｍｍ、１．２ｍｍ、１．６ｍｍ、２．０ｍｍのパネル１０に適用した場合を示す。
係止アーム５Ａ，５Ｂの組においては、係止爪７Ｂがパネル厚さｔ＝０．８〜１．２ｍｍのパネル１０に対する固定に使用され、係止爪７Ａがパネル厚さｔ＝１．６から２．０ｍｍのパネル１０に対する固定に使用される。
係止アーム６Ａ，６Ｂの組においては、係止爪８Ａがパネル厚さｔ＝０．８〜１．２ｍｍのパネル１０に対する固定に使用され、係止爪８Ｂがパネル厚さｔ＝１．６から２．０ｍｍのパネル１０に対する固定に使用される。
【００１７】
対象となるパネル１０の厚さｔ＝０．８ｍｍの場合には、係止爪７Ｂと係止爪８Ａが各係止斜面７ａ，８ａの先端部位にて取付孔１１の孔縁１１ａに係合し、係止爪７Ａと係止爪８Ｂはパネル１０の裏面側に無負荷状態で突出している。
対象となるパネル１０の厚さｔ＝２．０ｍｍの場合には、係止爪７Ａと係止爪８Ｂが各係止斜面７ａ，８ａの先端部位にて取付孔１１の孔縁１１ａに係合し、係止爪７Ｂと係止爪８Ａは取付孔１１の孔縁１１ａに押されてハウジング１内に後退している。
【００１８】
対象となるパネル１０の厚さｔが上記以外の場合には、その厚さに応じて係止アーム５Ａ，５Ｂと係止アーム６Ａ，６Ｂが揺動し、係止斜面７ａ，８ａの途中にて取付孔１１の孔縁１１ａと係合することになる。
【図面の簡単な説明】
【００１９】
【図１】本発明の一実施例に係るマグネットキャッチの正面図である。
【図２】図１のマグネットキャッチの背面図である。
【図３】図１のマグネットキャッチの右側面図である。
【図４】図１のマグネットキャッチの左側面図である。
【図５】従来のマグネットキャッチの取付対象のパネルの平面図である。
【図６】図５のパネルに装着したマグネットキャッチの正面図である。
【図７】従来のマグネットキャッチの別の取付対象のパネルの平面図である。
【図８】図７のパネルに装着したマグネットキャッチの正面図である。
【図９】従来のマグネットキャッチの右側面図である。
【符号の説明】
【００２０】
１  ハウジング
２  鍔部
３  ハウジングの側面部
４  ハウジングの側面部
５Ａ  係止アーム
５Ｂ  係止アーム
６Ａ  係止アーム
６Ｂ  係止アーム
７Ａ  係止爪
７Ｂ  係止爪
８Ａ  係止爪
８Ｂ  係止爪
７ａ  係止斜面
８ａ  係止斜面
９  マグネット部材
１０  パネル
１１  取付孔
１１ａ  取付孔の孔縁
【図１】
2007198049.tif 000003
【図２】
2007198049.tif 000004
【図３】
2007198049.tif 000005
【図４】
2007198049.tif 000006
【図５】
2007198049.tif 000007
【図６】
2007198049.tif 000008
【図７】
2007198049.tif 000009
【図８】
2007198049.tif 000010
【図９】
2007198049.tif 000011